(57)【要約】【課題】  蓋体が半開きの状態となることを防止しつつ、蓋体の開閉時の操作性及び操作感が良好な蓋体支持装置を提供する。【解決手段】  捻りコイルばね４５は、端部４５１がＬ型部材４４の孔４４３に枢結され、端部４５２が揺動体４６に形成されている凸部４６２へ枢結されて、本体カバー４１に取り付けられているＬ型部材４４と、開閉カバー４２に取り付けられている揺動体４６との間に縮設されている。捻りコイルばね４５の端部４５２を枢支している凸部４６２が仮想線Ｂのどちら側に位置しているかによって、捻りコイルばね４５のばね力による開閉カバー４２への付勢力の方向が相反する方向へ切り換わる。オイルダンパ４７の回転部４７１は、揺動体４６の歯部４６１と双方向に回転伝達可能に係合しており、オイルダンパ４７の回転負荷が揺動体４６を介して開閉カバー４２へ揺動負荷として付加される。【選択図】図８
2005074981.tif 000002
【特許請求の範囲】
【請求項１】
基体に揺動可能に軸支される蓋体と、該蓋体へ揺動抵抗を付加する揺動抵抗付加手段と、前記蓋体の揺動位置が前記蓋体の揺動範囲内の所定の揺動位置より閉方向側にある状態では、前記蓋体を閉方向へ付勢し、前記蓋体の揺動位置が前記蓋体の揺動範囲内の所定の揺動位置より開方向側にある状態では、前記蓋体を開方向へ付勢する蓋体付勢手段とを備え、
前記蓋体を前記蓋体の揺動範囲内の所定の揺動位置より閉方向側へ揺動させると、前記蓋体が前記揺動抵抗付加手段によって揺動速度を減速されつつ閉位置まで揺動し、前記蓋体を前記蓋体の揺動範囲内の所定の揺動位置より開方向側へ揺動させると、前記蓋体が前記揺動抵抗付加手段によって揺動速度を減速されつつ開位置まで揺動する、ことを特徴とした蓋体支持装置。
【請求項２】
請求項１において、前記揺動抵抗付加手段は、オイルダンパ装置を有している、ことを特徴とした蓋体支持装置。
【請求項３】
請求項１又は２において、前記蓋体付勢手段は、捻りコイルばねを有しており、前記捻りコイルばねは、一端部が前記基体に枢結され、他端部が前記蓋体に枢結された状態で前記基体と前記蓋体との間に、前記蓋体を閉じた状態で前記蓋体を閉じる方向へ前記捻りコイルばねのばね力が作用する如く配設されており、
前記捻りコイルばねの一端部の枢軸と前記蓋体の揺動軸とを結んだ直線上より一方側に前記蓋体の前記捻りコイルばねの他端部が枢結されている部分がある状態では、前記捻りコイルばねのばね力が前記蓋体を閉方向へ揺動させる方向へ作用し、前記捻りコイルばねの一端部の枢軸と前記蓋体の揺動軸とを結んだ直線上より他方側に前記蓋体の前記捻りコイルばねの他端部が枢結されている部分がある状態では、前記捻りコイルばねのばね力が前記蓋体を開方向へ揺動させる方向へ作用する構成を成している、ことを特徴とした蓋体支持装置。
【請求項４】
不揮発性メモリを着脱可能な構成を有するメモリスロットを備えた電子機器であって、請求項１〜３のいずれか１項に記載の蓋体支持装置を備え、前記蓋体が閉位置にある状態で前記メモリスロットが覆い隠される構成を成している、ことを特徴とした電子機器。
【請求項５】
被記録材にインクを噴射する記録ヘッドを主走査方向へ往復動させる主走査駆動手段と、前記被記録材を副走査方向へ所定の搬送量で搬送する副走査駆動手段と、不揮発性メモリを着脱可能な構成を有するメモリスロットと、該メモリスロットに格納されている記録データに基づいて記録を実行する手段とを備えた記録装置であって、請求項１〜３のいずれか１項に記載の蓋体支持装置を備え、前記蓋体が閉位置にある状態で前記メモリスロットが覆い隠される構成を成している、ことを特徴とした記録装置。
【発明の詳細な説明】
【技術分野】
【０００１】
本発明は、基体に揺動可能に軸支される蓋体を支持する蓋体支持装置、該蓋体支持装置を備えた電子機器、及び前記蓋体支持装置を備えた記録装置に関する。
【背景技術】
【０００２】
インクジェット式記録装置等の一般的な電子機器において、開口部等を何らかの目的をもって覆い隠すための開閉可能なカバーを配設する構造の一例として、開口部等を覆い隠すための蓋体を揺動可能に軸支したものが一般的に知られている。上述した何らかの目的とは、例えば開口部等に埃等の異物が進入することを防止したり、開口部等を外部の衝撃から保護したりする等が挙げられる。開口部等は、例えば、テレビやＡＶ機器等のマイコン制御装置を搭載した電子機器の操作ボタン部であったり、パーソナルコンピュータ等に設けられた磁気記録ディスクドライブや光記録ディスクドライブであったりする。また、近年のインクジェット式記録装置には、カード型の不揮発性メモリ等を着脱するためのメモリスロットを設けたものが公知であり、そのようなインクジェット式記録装置は、メモリスロットに装着した不揮発性メモリに格納されている記録データを読み込んで直接記録紙等への記録を実行する機能を有している（例えば、特許文献１参照）。
【０００３】
【特許文献１】特開２００３−１７５６５７号公報
【発明の開示】
【発明が解決しようとする課題】
【０００４】
ところが、カード型の不揮発性メモリ等を着脱するためのメモリスロットにおいては、上述した開口部等に埃等の異物が進入することを防止したり、開口部等を外部の衝撃から保護したりする以外に、メモリスロットに装着した状態の不揮発性メモリを静電気から保護する必要がある。ユーザが不揮発性メモリに触れたり、体の一部を近づけたりすることによって、人体や衣服等に蓄積された静電気が不揮発性メモリに一気に放電されると、不揮発性メモリに格納されているデータが破壊される虞があるためである。したがって、メモリスロットを搭載しているインクジェット式記録装置等の電子機器においては、メモリスロットに装着した不揮発性メモリを静電気から保護するための蓋体を設け、蓋体を開いた状態で不揮発性メモリの着脱が可能となり、かつ、蓋体を閉じた状態でメモリスロットに装着されている不揮発性メモリが完全に覆われて静電気から保護されるようにする必要がある。
【０００５】
しかし、静電気の放電はわずかな隙間があればそこを通過して発生してしまうので、ユーザから不揮発性メモリへの静電気の放電を防ぐには、上述したような蓋体をメモリスロットに設けてもメモリスロットへ不揮発性メモリを装着した後に蓋体を完全に閉じなければ意味が無い。したがって、蓋体を閉じる方向へ常に付勢しておけば、ユーザが蓋体を開いて不揮発性メモリをメモリスロットへ装着して蓋体を閉じた際に、その付勢力によって蓋体が半開きの状態にならずに、必ず完全に閉じた状態となるようにすることができる。しかしながら、蓋体を閉じる方向へ常に付勢していることによって、メモリスロットに装着した不揮発性メモリを静電気から保護することが可能になる反面、不揮発性メモリの装着時に蓋体が閉じないように蓋体を支えながら行わなければならず、メモリスロットへ不揮発性メモリを着脱する際の操作性が低下してユーザにとって使いにくいものになってしまう虞がある。また、その付勢力によって蓋体が自動的に閉じる際に音が発生したり、勢い良く蓋体が閉まったりする等によって、蓋体の開閉時の操作感が好ましくないものとなってしまう虞もある。
【０００６】
本発明は、このような状況に鑑み成されたものであり、その課題は、蓋体が半開きの状態となることを防止しつつ、蓋体の開閉時の操作性及び操作感が良好な蓋体支持装置を提供することにある。
【課題を解決するための手段】
【０００７】
上記課題を達成するため、本発明の第１の態様は、基体に揺動可能に軸支される蓋体と、該蓋体へ揺動抵抗を付加する揺動抵抗付加手段と、前記蓋体の揺動位置が前記蓋体の揺動範囲内の所定の揺動位置より閉方向側にある状態では、前記蓋体を閉方向へ付勢し、前記蓋体の揺動位置が前記蓋体の揺動範囲内の所定の揺動位置より開方向側にある状態では、前記蓋体を開方向へ付勢する蓋体付勢手段とを備え、前記蓋体を前記蓋体の揺動範囲内の所定の揺動位置より閉方向側へ揺動させると、前記蓋体が前記揺動抵抗付加手段によって揺動速度を減速されつつ閉位置まで揺動し、前記蓋体を前記蓋体の揺動範囲内の所定の揺動位置より開方向側へ揺動させると、前記蓋体が前記揺動抵抗付加手段によって揺動速度を減速されつつ開位置まで揺動する、ことを特徴とした蓋体支持装置である。
【０００８】
蓋体は、揺動位置が蓋体の揺動範囲内の所定の揺動位置より閉方向側にある状態では、閉方向へ付勢され、所定の揺動位置より開方向側にある状態では、開方向へ付勢される。そのため、所定の揺動位置より閉方向側へ蓋体を揺動させると、蓋体付勢手段の付勢力によって蓋体が完全に閉じた状態となる位置まで揺動してそのまま蓋体が完全に閉じた状態で保持される。一方、所定の揺動位置より開方向側へ蓋体を揺動させると、蓋体付勢手段の付勢力によって蓋体が完全に開ききった状態となる揺動位置まで揺動してそのまま開いた状態で保持される。つまり、蓋体の揺動位置を完全に閉じた状態となる揺動位置か完全に開いた状態となる揺動位置のいずれかに規制することができる。また、蓋体は、揺動抵抗付加手段によって揺動抵抗が付加されているので、蓋体を所定の揺動位置より閉方向側へ揺動させると、揺動抵抗付加手段によって揺動速度を減速されつつ閉位置まで蓋体が揺動して蓋体が完全に閉じた状態となり、蓋体を所定の揺動位置より開方向側へ揺動させると、揺動抵抗付加手段によって揺動速度を減速されつつ開位置まで揺動する。したがって、付勢力によって蓋体が自動的に閉じる際に音が発生したり、勢い良く蓋体が閉まったりする等によって、蓋体の開閉時の操作感が好ましくないものとなってしまうことを防止することができる。
【０００９】
これにより、本発明の第１の態様に記載の発明によれば、蓋体の揺動位置を完全に閉じた状態となる揺動位置か完全に開いた状態となる揺動位置のいずれかに規制することができ、かつ、蓋体の開閉時の操作感が好ましくないものとなってしまうことを防止することができるので、蓋体が半開きの状態となることを防止しつつ、蓋体の開閉時の操作性及び操作感が良好な蓋体支持装置を提供することができるという作用効果が得られる。
【００１０】
本発明の第２の態様は、前述した第１の態様において、前記揺動抵抗付加手段は、オイルダンパ装置を有している、ことを特徴とした蓋体支持装置である。  
オイルダンパ装置は、油の粘性を利用して、ゆっくりした動きには抵抗が少なく、速い動きに対しては大きな抵抗力を持たせる公知の装置である。このような性質を有するオイルダンパを利用することによって、蓋体付勢手段の付勢力によって揺動する蓋体の揺動速度を適切な速度に設定して蓋体開閉時の操作感を向上させることが低コストで容易に可能になる。
【００１１】
本発明の第３の態様は、前述した第１の態様又は第２の態様において、前記蓋体付勢手段は、捻りコイルばねを有しており、前記捻りコイルばねは、一端部が前記基体に枢結され、他端部が前記蓋体に枢結された状態で前記基体と前記蓋体との間に、前記蓋体を閉じた状態で前記蓋体を閉じる方向へ前記捻りコイルばねのばね力が作用する如く配設されており、前記捻りコイルばねの一端部の枢軸と前記蓋体の揺動軸とを結んだ直線上より一方側に前記蓋体の前記捻りコイルばねの他端部が枢結されている部分がある状態では、前記捻りコイルばねのばね力が前記蓋体を閉方向へ揺動させる方向へ作用し、前記捻りコイルばねの一端部の枢軸と前記蓋体の揺動軸とを結んだ直線上より他方側に前記蓋体の前記捻りコイルばねの他端部が枢結されている部分がある状態では、前記捻りコイルばねのばね力が前記蓋体を開方向へ揺動させる方向へ作用する構成を成している、ことを特徴とした蓋体支持装置である。
【００１２】
このように、捻りコイルばねの一端部を基体に枢結し、他端部を基体に軸支されている蓋体に枢結して基体と蓋体の間に捻りコイルばねを配設（縮設又は伸設）すると、常に捻りコイルばねの他端部の枢軸（蓋体側）には、捻りコイルばねの一端部の枢軸（基体側）と他端部の枢軸（蓋体側）とを結んだ直線と平行な方向へ捻りコイルばねのばね力が作用することになる。そのため、揺動可能に軸支されている蓋体に作用する付勢力の方向は、捻りコイルばねの一端部の枢軸（基体側）と蓋体の揺動軸とを結んだ直線を境にして、捻りコイルばねの他端部の枢軸（蓋体側）がどちら側にあるかで相反する方向となる。つまり、捻りコイルばねの一端部の枢軸（基体側）と蓋体の揺動軸とを結んだ直線上より一方側に捻りコイルばねの他端部の枢軸（蓋体側）がある状態では、捻りコイルばねのばね力が蓋体を閉方向へ揺動させる方向へ作用し、他方側に捻りコイルばねの他端部の枢軸（蓋体側）がある状態では、捻りコイルばねのばね力が蓋体を開方向へ揺動させる方向へ作用する。
【００１３】
そして、蓋体を閉じた状態で捻りコイルばねのばね力によって蓋体が閉じる方向へ付勢されるようにする。それによって、所定の揺動位置より閉方向側へ蓋体を揺動させると、蓋体付勢手段の付勢力によって蓋体が完全に閉じた状態となる位置まで揺動してそのまま蓋体が完全に閉じた状態で保持され、所定の揺動位置より開方向側へ蓋体を揺動させると、蓋体付勢手段の付勢力によって蓋体が完全に開ききった状態となる揺動位置まで揺動してそのまま開いた状態で保持されるようにすることができる。
【００１４】
本発明の第４の態様は、不揮発性メモリを着脱可能な構成を有するメモリスロットを備えた電子機器であって、前述した第１の態様〜第３の態様のいずれかに記載の蓋体支持装置を備え、前記蓋体が閉位置にある状態で前記メモリスロットが覆い隠される構成を成している、ことを特徴とした電子機器である。
【００１５】
本発明の第４の態様に示した電子機器によれば、電子機器において、前述した第１の態様〜第３の態様のいずれかに記載の発明による作用効果を得ることができるので、電子機器のメモリスロットに装着した不揮発性メモリを静電気から保護することができ、かつ、メモリスロットの蓋体の操作性及び操作感を良好なものにすることができるという作用効果が得られる。
【００１６】
本発明の第５の態様は、被記録材にインクを噴射する記録ヘッドを主走査方向へ往復動させる主走査駆動手段と、前記被記録材を副走査方向へ所定の搬送量で搬送する副走査駆動手段と、不揮発性メモリを着脱可能な構成を有するメモリスロットと、該メモリスロットに格納されている記録データに基づいて記録を実行する手段とを備えた記録装置であって、前述した第１の態様〜第３の態様のいずれかに記載の蓋体支持装置を備え、前記蓋体が閉位置にある状態で前記メモリスロットが覆い隠される構成を成している、ことを特徴とした記録装置である。
【００１７】
本発明の第５の態様に示した記録装置によれば、記録装置において、前述した第１の態様〜第３の態様のいずれかに記載の発明による作用効果を得ることができるので、記録装置のメモリスロットに装着した不揮発性メモリを静電気から保護することができ、かつ、メモリスロットの蓋体の操作性及び操作感を良好なものにすることができるという作用効果が得られる。
【発明を実施するための最良の形態】
【００１８】
以下、本発明の実施の形態を図面に基づいて説明する。  
図１は、インクジェット式記録装置の斜視図であり、図２は、本体カバーを取り外した状態のインクジェット式記録装置の斜視図である。また、図３、はインクジェット式記録装置の側断面概略図である。図４は、インクジェット式記録装置の各種制御を行う制御部のブロック図である。
【００１９】
まず、図１〜図３を参照しながら本発明に係る「記録装置」としてのインクジェット式記録装置５０の概略構成について説明する。インクジェット式記録装置５０は、箱形の外観形状を成しており、ビデオテープレコーダ程の大きさに形成されていて、テレビラック等へ収納された状態で使用されることを想定した構成となっている。箱形の本体カバー１の前面中央には、手前に開閉可能なフロントカバー２が設けられており、フロントカバー２を手前に開いた部分の開口部からは、記録が行われた後の記録紙Ｐが排出されるとともに、ＤＶＤ等の光記録ディスクＤのラベル面に記録を実行する際には、ディスクトレイ７に装着された光記録ディスクＤへの記録実行中にインクジェット記録装置５０の内部からディスクトレイ７が一時的に突出する構成となっている。また、フロントカバー２は、手前側へ開いた状態で記録が行われた後に排出される記録紙Ｐを積重するスタッカとなる。フロントカバー２の下側には、記録紙Ｐを積重するための「記録紙収容部」としての給紙カセット８が設けられており、手前側に引き出した状態で給紙カセット８内に記録紙Ｐを積重することができるようになっている。また、フロントカバー２の上側にはインクカートリッジユニット１５が設けられており、インクカートリッジユニット１５には、複数のインクカートリッジ１６（図３参照）がインクジェット式記録装置５０の幅方向に並んで着脱自在に配設されている。また、フロントカバー２の向かって左側には、フラッシュメモリカード等の不揮発性メモリを着脱可能なメモリスロットを有するメモリスロットカバー４が配設されている。
【００２０】
つづいて、図２を参照しながらインクジェット式記録装置５０の内部構成の概略について説明する。インクジェット式記録装置５０の基体は、下部シャーシ１３、インクジェット式記録装置５０の本体の幅方向に延びるメインフレーム１１、及びメインフレーム１１の両側に配設されたインクジェット式記録装置５０の本体の奥行き方向に平行なサイドフレーム右１２とサイドフレーム左１４で構成されている。サイドフレーム右１２とサイドフレーム左１４との間には、主走査方向Ｘと平行にキャリッジガイド軸５１とサブキャリッジガイド軸５１１とが副走査方向Ｙに所定の間隔を置いて軸支されている。キャリッジガイド軸５１及びサブキャリッジガイド軸５１１は、記録紙Ｐへインクを噴射する記録ヘッド６２を搭載したキャリッジ６１を主走査方向Ｘに往復動可能に支持する為のガイド軸であり、キャリッジガイド軸５１はキャリッジ６１の後部を挿通し、サブキャリッジガイド軸５１１はキャリッジ６１の前部を下から支持して、これによって、キャリッジ６１に搭載された記録ヘッド６２（図３）と、記録ヘッド６２のヘッド面と対向する記録紙Ｐとの間の距離（プラテンギャップ：以下「ＰＧ」と言う）が規定された状態でキャリッジ６１が主走査方向Ｘに往復動可能に支持される。
【００２１】
つづいて、図２及び図３を参照しながら「被記録材」としての記録紙Ｐ及びディスクトレイ７の搬送経路について説明する。  
後述する「副走査駆動手段」へ向けて記録紙Ｐを被記録材として１枚ずつ自動給紙する「自動給紙装置」は、給紙カセット８と給紙ローラ８３を備えている。複数枚の記録紙Ｐが積重される給紙カセット８の底部には、ホッパ８１が設けられている。ホッパ８１は軸８２を揺動軸として揺動可能に配設されており、ホッパ８１の上に積重された記録紙Ｐを下方から押し上げることにより、上部に設けられた給紙ローラ８３へ記録紙Ｐを押圧する。給紙ローラ８３は側面視略Ｄ形の形状を成し、外周は高摩擦部材（例えば、ゴム材）によって形成されている。記録紙Ｐの給紙時には給紙ローラ８３の円弧部分に当接している最上位の記録紙Ｐが、給紙ローラ８３の回転によって、副走査方向Ｙへ給紙される。また、「自動給紙装置」は、給紙ローラ８３の下部に配設され、ホッパ８１によって給紙ローラ８３の外周面に表面が押圧された記録紙Ｐが給紙ローラ８３の駆動回転によって給紙方向（副走査方向Ｙ）へ給紙される際に他の記録紙Ｐが重なった状態で重送されることを防止する「分離手段」としての分離パッド（図示せず）を備えている。分離パッドと給紙ローラ８３との間で記録紙Ｐを挟持した状態で給紙ローラ８３を回転させて給紙することにより、給紙されるべき記録紙Ｐと、重送されようとする他の記録紙Ｐとが分離されるようになっている。さらに、「自動給紙装置」は、分離パッドによって分離されて記録紙Ｐが積重されている給紙カセット８の外へ一部突出した状態の記録紙Ｐを給紙カセット８内へ押し戻すために、その給紙カセット８の外へ一部突出した状態の記録紙Ｐの先端を給紙カセット８へ向けて押動する如く、給紙ローラ８３の下部に給紙経路へ進出可能に配設された「紙戻し揺動体」としての紙戻しレバー（図示せず）を備えている。
【００２２】
給紙ローラ８３の副走査方向Ｙの下流側には、高摩擦抵抗被膜が外周面に一様に施された搬送駆動ローラ５３と、搬送駆動ローラ５３へ押圧付勢された状態で従動回転可能に軸支されている搬送従動ローラ５４とが配設されており、搬送駆動ローラ５３を駆動する「搬送駆動用モータ」としてのＰＦモータ５７、及び搬送駆動ローラ５３の回転量を検出する「回転量検出手段」としてのロータリエンコーダ３１とで、記録紙Ｐ又はディスクトレイ７を副走査方向Ｙへ所定の搬送量にて搬送する「副走査駆動手段」が構成されている。「副走査駆動手段」は、搬送駆動ローラ５３と搬送従動ローラ５４とで記録紙Ｐ又はディスクトレイ７を挟持し、ＰＦモータ５７の回転駆動力が無端ベルト５８を介してプーリ５９へ伝達され、プーリ５９の回転が図示していない中間歯車等を介して伝達されて駆動回転する搬送駆動ローラ５３の回転によって記録紙Ｐ又はディスクトレイ７を副走査方向Ｙへ搬送する。そして、所定の搬送量で記録紙Ｐ又はディスクトレイ７が搬送されるように、ロータリエンコーダ３１によって検出される搬送駆動ローラ５３の回転量に応じてＰＦモータ５７の回転量が後述する制御部１００によって制御される。
【００２３】
搬送駆動ローラ５３の副走査方向Ｙの下流側には、プラテン５２が記録ヘッド６２のヘッド面と上下に対向するように配設されている。前述した「副走査駆動手段」によって搬送された記録紙Ｐ又はディスクトレイ７は、プラテン５２によって下から支持された状態で、「主走査駆動手段」によって主走査方向Ｘへ往復動する記録ヘッド６２からインクが噴射されることによって記録が行われる。「主走査駆動手段」は、キャリッジ６１とキャリッジ６１を往復動させる駆動力源となる「キャリッジ駆動用モータ」としてのＣＲモータ６３とを有しており、ＣＲモータ６３の回転駆動力は、図示していない無端ベルト等による駆動力伝達機構を介して回転運動が直線の往復運動に変換されてキャリッジ６１へ伝達されるように構成されている。尚、当該実施例においては、記録ヘッド６２はキャリッジ６１の底部に設けられているが、主走査方向Ｘに往復動するキャリッジ６１にはインクカートリッジが搭載されておらず、前述したインクカートリッジユニット１５に格納されている複数のインクカートリッジ１６からインクチューブ（図示せず）を介してキャリッジ６１へとインクが供給されるようになっている。
【００２４】
記録ヘッド６２の副走査方向Ｙの下流側には、ＰＦモータ５７の回転駆動力が伝達されて駆動回転する排紙駆動ローラ５５と、排紙駆動ローラ５５に付勢された状態で従動回転可能に軸支されている排紙従動ローラ５６とが配設されている。記録実行中及び記録実行後の記録紙Ｐは、排紙駆動ローラ５５と排紙従動ローラ５６とで挟持され、ＰＦモータ５７の回転駆動力が無端ベルト５８を介してプーリ５９へ伝達され、プーリ５９の回転が図示していない中間歯車等を介して伝達されて駆動回転する排紙駆動ローラ５５の回転によって副走査方向Ｙへフロントパネル２を開いた開口部から排出される。また、光記録ディスクＤを装着可能なディスクトレイ７は、給紙カセット８の上方に配置されている。ディスクトレイ７は、側端にラック７１（図２参照）が形成されており、ラック７１と噛合する図示していないピニオン歯車の回動によって略水平な姿勢で真っ直ぐに移動できるように配設されている。そして、ディスクトレイ７は、ピニオン歯車の回動によって先端が搬送駆動ローラ５３と搬送従動ローラ５４とに挟持されるまで搬送された後、以降は搬送駆動ローラ５３を双方向へ回転させることによって、副走査方向Ｙ、或いは逆送方向ＹＲに送られる。また、ディスクトレイ７へ光記録ディスクＤを着脱する際には、フロントパネル２を開いた開口部から突出した位置（図２の仮想線で示した位置）まで副走査方向Ｙへ搬送される。
【００２５】
続いて、図４を参照しながら制御部１００の構成について説明する。  
制御部１００は、インクジェット式記録装置５０に記録制御データを送信するホスト・コンピュータ２００とデータ送受信可能に接続される。制御部１００は、ＲＯＭ１０１、ＲＡＭ１０２、インタフェース部１０３、ＭＰＵ１０４、ＤＣユニット１０５、ＰＦモータドライバ１０６、ＣＲモータドライバ１０７、及びヘッドドライバ１０８を備えている。ＭＰＵ１０４およびＤＣユニット１０５には、搬送駆動ローラ５３の回転量を検出する「回転量検出手段」としてのロータリエンコーダ３１、キャリッジ６１の移動量を検出する「キャリッジ移動量検出手段」としてのリニアエンコーダ３２、搬送される記録紙Ｐの始端及び終端を検出する紙検出器３３、キャリッジ６１に搭載された記録紙Ｐの副走査方向Ｙの幅を検出するＰＷセンサ３４、インクジェット式記録装置５０の電源をＯＮ／ＯＦＦするための電源ＳＷ３５、及びディスクトレイ７の出し入れ操作を行うためのトレイＳＷ３６の出力信号が入力される。尚、当該実施例においては、ＰＷセンサ３４は、キャリッジ６１の底部に設けられた光学センサであり、キャリッジ６１の主走査によって記録紙Ｐの副走査方向Ｙの幅を検出するとともに、ディスクトレイ７に付された識別マーク（図示せず）を認識することにより、ディスクトレイ７の送り位置を検出する為に用いられる。さらに、ディスクトレイ７上のディスクＤの有無や、ディスクＤの中心位置の検出にも用いられる。
【００２６】
ＭＰＵ１０４はインクジェット式記録装置５０の制御プログラムを実行する為の演算処理やその他必要な演算処理を行う。ＲＯＭ１０１には、インクジェット式記録装置５０を制御する為に必要な制御プログラム（ファームウェア）および処理に必要なデータ等が格納されている。インタフェース部１０３は、ホスト・コンピュータ２００との通信インタフェース機能を有しており、ホスト・コンピュータ２００から記録制御データを受信するとともに、メモリスロット３７のドライバ、インタフェース機能も有している。ＲＡＭ１０２は、ＭＰＵ１０４の作業領域やインタフェース部１０３を介してデータ転送される記録制御データを含む各種データの一次格納領域として用いられる。ＤＣユニット１０５は、ＤＣモータであるＰＦモータ５７及びＣＲモータ６３の速度制御を行う為の制御回路である。ＤＣユニット１０５は、ＭＰＵ１０４から送られてくる制御命令、ロータリエンコーダ３１の出力信号、及びリニアエンコーダ３２の出力信号、並びに紙検出器３３の出力信号に基づいて、ＰＦモータ５７及びＣＲモータ６３の速度制御を行う為の各種演算を行い、その演算結果に基づくモータ制御信号をＰＦモータドライバ１０６及びＣＲモータドライバ１０７へ送出する。ＰＦモータドライバ１０６は、ＤＣユニット１０５からのモータ制御信号に基づいてＰＦモータ５７を駆動制御する。ＰＦモータ５７は、当該実施例においては、給紙ローラ８３、搬送駆動ローラ５３、排紙駆動ローラ５５、及びディスクトレイ７の側端に形成されたラック７１（図２参照）と噛合してディスクトレイ７の搬送を行うピニオン歯車（図示せず）の回転駆動力源となる。ＣＲモータドライバ１０７は、ＤＣユニット１０５からのモータ制御信号に基づいてＣＲモータ６３を駆動制御することによりキャリッジ６１を主走査方向に往復動させ、または停止保持させる。ヘッドドライバ５９は、ＭＰＵ１０４からのヘッド制御信号に基づいて記録ヘッド６２を駆動制御する。
【００２７】
以上がインクジェット式記録装置５０の概略構成であり、以下、本発明に係る「蓋体支持装置」としてのメモリスロットカバー４について詳細に説明する。  
図５は、メモリスロットカバー４の要部斜視図であり、図６は、メモリスロットカバー４の裏側の要部斜視図である。図７は、メモリスロットカバー４を分解した状態の要部斜視図である。
【００２８】
メモリスロットカバー４は、「基体」としてのカバー本体４１と、「蓋体」としての開閉カバー４２とを有している。開閉カバー４２は、カバー本体４１に軸４３を揺動軸として符号Ａで示した揺動方向へ揺動可能に軸支されている。メモリスロットカバー４は、インクジェット式記録装置５０の本体に配設されているメモリスロット３７（図４）のカバーであり、開閉カバー４２を符号Ａ１で示した方向（以下、閉方向Ａ１とする）へ揺動させて開閉カバー４２を閉じた状態（図示の状態）では、メモリスロット３７及びメモリスロット３７に装着された不揮発性メモリが覆い隠された状態となる。一方、開閉カバー４２を符号Ａ２で示した方向（以下、開方向Ａ２とする）へ揺動させて開閉カバー４２を開いた状態では、孔４１２（図６）を介してメモリスロット３７への不揮発性メモリの着脱が可能になる。カバー本体４１には、略Ｌ型形状のＬ型部材４４が図示の如く取り付けられている。一方、開閉カバー４２には、軸４３を揺動軸として開閉カバー４２と一体に揺動可能に配設される揺動体４６が取り付けられている。揺動体４６は、凹部４６４が開閉カバー４２に形成されている凸部４２１に嵌合した状態で開閉カバー４２へ取り付けられている。そして、Ｌ型部材４４と揺動体４６との間には、「蓋体付勢手段」を構成する捻りコイルばね４５が縮設されている。また、Ｌ型部材４４には、開閉カバー４２へ揺動抵抗を付加する「揺動抵抗付加手段」としてのオイルダンパ４７が配設されている。
【００２９】
Ｌ型部材４４には、孔４４１、孔４４２、及び孔４４３が形成されている。孔４４１とオイルダンパ４７に形成されている孔４７１とへ図示していないネジ等が挿通され、孔４４２とオイルダンパ４７に形成されている凹部４７２とへ図示していないネジ等が挿通されて、オイルダンパ４７がＬ型部材４４へネジ止め固定される。オイルダンパ４７は、油の粘性を利用して、ゆっくりした動きには抵抗が少なく、速い動きに対しては大きな抵抗力となる回転負荷が回転部４７１に発生するようになっている。オイルダンパ４７の回転部４７１は、揺動体４６の歯部４６１と双方向に回転伝達可能に係合しており、オイルダンパ４７の回転部４７１に生じる回転負荷が揺動体４６を介して開閉カバー４２へ揺動負荷として付加されるようになっている。また、捻りコイルばね４５の端部４５１は、Ｌ型部材４４の孔４４３に掛止した状態で枢結（回動自在に結合すること）され、捻りコイルばね４５の端部４５２は、揺動体４６に形成されている凸部４６２へ嵌合した状態で枢結される。
【００３０】
図８は、開閉カバー４２を閉じた状態のメモリスロットカバー４の要部側面図であり、図９は、開閉カバー４２を開いた状態のメモリスロットカバー４の要部側面図である。  
「蓋体付勢手段」を構成する捻りコイルばね４５は、端部４５１がＬ型部材４４の孔４４３に枢結され、端部４５２が揺動体４６に形成されている凸部４６２へ枢結されて、本体カバー４１に取り付けられているＬ型部材４４と、開閉カバー４２に取り付けられている揺動体４６との間に縮設されている。符号Ｂで示した二点鎖線は、捻りコイルばね４５の端部４５１を枢支している孔４４３と、揺動体４６及び開閉カバー４２の揺動軸となる軸４３とを直線で結んだ仮想線である。捻りコイルばね４５のもう一方の端部４５２を枢支している凸部４６２が上述した仮想線Ｂのどちら側に位置しているかによって、縮設されている捻りコイルばね４５のばね力による開閉カバー４２への付勢力の方向が相反する方向へ切り換わることになる。
【００３１】
凸部４６２が仮想線Ｂの一方側にある状態（図８に示した状態）では、縮設されている捻りコイルばね４５のばね力Ｃは、常に揺動体４６を符号Ｅで示した揺動方向へ付勢する方向へ作用する。したがって、揺動体４６は、捻りコイルばね４５のばね力Ｃによって符号Ｅで示した方向へ揺動し、揺動体４６が取り付けられている開閉カバー４２は、閉方向Ａ１へ完全に閉じた状態（図８に示した状態）となる揺動位置まで揺動して、そのまま閉じた状態が保持される。それによって、開閉カバー４２が半開きの状態のままになることを防止することができる。また、揺動体４６が符号Ｅで示した揺動方向へ揺動する際に、揺動体４６の歯部４６１と係合しているオイルダンパ４７の回転部４７３が符号Ｆで示した回転方向へ回転しながら揺動体４６へ揺動抵抗を付加する。それによって、閉方向Ａ１への開閉カバー４２の揺動速度が減速されてゆるやかに開閉カバー４２が閉じるので、捻りコイルばね４５のばね力Ｃによる付勢力で揺動する開閉カバー４２の揺動速度を適切な速度に設定して開閉カバー４２を閉じる際の操作感を良好にすることができる。
【００３２】
一方、凸部４６２が仮想線Ｂの他方側にある状態（図９に示した状態）では、縮設されている捻りコイルばね４５のばね力Ｃは、常に揺動体４６を符号Ｇで示した揺動方向へ付勢する方向へ作用する。したがって、揺動体４６は、捻りコイルばね４５のばね力Ｃによって符号Ｇで示した方向へ揺動し、揺動体４６が取り付けられている開閉カバー４２は、開方向Ａ２へ完全に開ききった状態（図９に示した状態）となる揺動位置まで揺動して、そのまま開ききった状態が保持される。それによって、開閉カバー４２を開いた状態で開閉カバー４２を手で押さえておく必要がなくなるので、ユーザがメモリスロット３７へ不揮発性メモリの着脱を行う際の操作性を向上させることができる。また、揺動体４６が符号Ｇで示した揺動方向へ揺動する際に、揺動体４６の歯部４６１と係合しているオイルダンパ４７の回転部４７３が符号Ｈで示した回転方向へ回転しながら揺動体４６へ揺動抵抗を付加する。それによって、開方向Ａ２への開閉カバー４２の揺動速度が減速されてゆるやかに開閉カバー４２が開くので、捻りコイルばね４５のばね力Ｃによる付勢力で揺動する開閉カバー４２の揺動速度を適切な速度に設定して開閉カバー４２を開く際の操作感を良好にすることができる。
【００３３】
このようにして、開閉カバー４２が半開きの状態となることを防止しつつ、開閉カバー４２の開閉時の操作性及び操作感を良好にすることが低コストで容易に可能になる。
【００３４】
尚、本発明は上記実施例に限定されることなく、特許請求の範囲に記載した発明の範囲内で、種々の変形が可能であり、それらも本発明の範囲内に含まれるものであることは言うまでもない。
【産業上の利用可能性】
【００３５】
本発明は、基体に揺動可能に軸支される蓋体を支持する蓋体支持装置において実施可能であり、該蓋体支持装置を備えた電子機器、及び前記蓋体支持装置を備えた記録装置に本発明による作用効果をもたらすことが可能である。
【図面の簡単な説明】
【００３６】
【図１】インクジェット式記録装置の斜視図である。
【図２】本体カバーを取り外したインクジェット式記録装置の斜視図である。
【図３】インクジェット式記録装置の側断面概略図である。
【図４】インクジェット式記録装置の各種制御を行う制御部のブロック図である。
【図５】メモリスロットカバーの要部斜視図である。
【図６】メモリスロットカバーの裏側の要部斜視図である。
【図７】メモリスロットカバーを分解した状態の要部斜視図である。
【図８】開閉カバーを閉じた状態のメモリスロットカバーの要部側面図である。
【図９】開閉カバーを開いた状態のメモリスロットカバーの要部側面図である。
【符号の説明】
【００３７】
４  メモリスロットカバー、７  ディスクトレイ、８  給紙カセット、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  ＰＦモータ、６１  キャリッジ、６２  記録ヘッド、６３  ＣＲモータ、８３  給紙ローラ、１０１  ＲＯＭ、１０２  ＲＡＭ、１０３  インタフェース部、１０４  ＭＰＵ、１０５  ＤＣユニット、１０６  ＰＦモータドライバ、１０７  ＣＲモータドライバ、１０８  ヘッドドライバ、Ｐ  記録紙、Ｘ  主走査方向、Ｙ  副走査方向
【図１】
2005074981.tif 000003
【図２】
2005074981.tif 000004
【図３】
2005074981.tif 000005
【図４】
2005074981.tif 000006
【図５】
2005074981.tif 000007
【図６】
2005074981.tif 000008
【図７】
2005074981.tif 000009
【図８】
2005074981.tif 000010
【図９】
2005074981.tif 000011